(57)【特許請求の範囲】
【請求項１】
底板１ａから周壁２を起立する容器本体１と、
容器本体周壁２の上面を開閉自在に閉塞する中皿板４０と、
中皿板上面を開閉自在に閉塞する上蓋板５０とを、
各後壁面から突出した軸受け９ａ、４１、５１にピンを枢着し連結した、上下二重の収納室を有するコンパクト容器において、
上記容器本体周壁２の前壁４から前方へ張出し壁部５を突出して、該張出し壁部の上部に、前面開口の操作室１９を設けて、該操作室奥壁２１の前面は、上下方向中間部を上後方への傾斜面１２ａに、上下両端部は起立面１３に形成すると共に、操作室１９の上壁１４の前後両部に第１、第２透孔１５、１５ａを穿設し、かつ内壁面一部に前後方向への横溝８を穿設しておき、
又上記操作室１９内へ、指当て板３１の後面下部から操作室１９底板上へ載置させた下板３２を、指当て板３１後面上部から上板３３を、それぞれ後方突出し、かつ下板３２後面の左右両部から上記下方起立面２０へ後端部を当てて、弾性片３４を突設し、更に上記横溝８の前端部内へ前方抜出し不能に係合する係合子３５を有すると共に、上記第１透孔１５の前部下方の上板３３部分に第３透孔３６を穿設した操作釦３０を設け、
上記中皿板４０の前縁部から垂設した第１フック４２を、第２透孔１５ａの後壁下縁へ、上蓋板５０の前部から第１、第３透孔１５、３６に挿通して垂下した第２フック５２を第３透孔３６の後壁下縁へ、それぞれ係合させ、
上記操作釦３０の後方移動で上記第２フック５２の係合が外れると共に、上板３３の後端部が傾斜面１２ａ上へ乗上げして弾性変形することで更に第１フック４２下面を突上げして、第２透孔１５ａ後壁との係合を離脱可能に形成した、
ことを特徴とする化粧用コンパクト容器。
【請求項２】
上記中皿板４０および上蓋板５０を、上記それぞれの軸受け９ａ、４１、５１に係合してピン回り開蓋方向へ付勢する弾性部材６０を有する、
ことを特徴とする請求項１記載の化粧用コンパクト容器。
【請求項３】
上記容器本体周壁２前壁から前方突出する張出し壁部５上方へ、上記奥壁部分１２、上壁１４、左右両側壁１７を有する覆合部１８を載置させて設け、かつ該覆合部は、容器本体内へ嵌合させた枠壁１１の前部に付設した、
ことを特徴とすとる請求項１又は２記載の化粧用コンパクト容器。
【発明の詳細な説明】
【０００１】
【発明の属する技術分野】
本発明は化粧用パウダやパフ等を収納する化粧用コンパクト容器に関する。
【０００２】
【従来の技術】
例えば、実開昭６３−１６０７１１号に示すように、深めの蓋体の下部内面に中蓋を前後方向へのスライドが可能に配設しておき、コンパクト本体後部の前後方向に離間する二点のうち、その後方点へ蓋体後部を、その前方点へ中蓋後部を、その一方は軸で枢着すると共に、他方は長溝状の係合溝およびピンを利用して摺動可能に係合し、蓋体の開蓋に中蓋が連動して蓋体下面を開放可能に形成したコンパクト容器が知られている。
【０００３】
【発明が解決しようとする課題】
上記のような化粧用コンパクト容器は、蓋体の開蓋に中蓋が連動するため、蓋体と中蓋とを同時に開蓋できて便利であるが、一方では蓋体のみを開蓋するだけで足りる場合もあることから、蓋体と中蓋とを連動させることなく、しかも簡単な操作でそれぞれを別々に開蓋できるコンパクト容器が求められている。
【０００４】
請求項１記載の化粧用コンパクト容器は、操作釦の後方移動で第２フックの係合が外れると共に、上板の後端部が第１フック下面を突上げして、第２透孔後壁との係合を離脱可能に形成することにより、操作釦の操作だけで上蓋板と中皿板とを別々に開くことができるようにするものである。
【０００５】
請求項２記載の化粧用コンパクト容器は、上記請求項１記載の化粧用コンパクト容器が有する解決課題を有するほか、中皿板及び上蓋板を開蓋方向へ付勢する弾性部材を設けることにより、自動開蓋を可能にするものである。
【０００６】
請求項３記載の化粧用コンパクト容器は、上記請求項１又は２記載の化粧用コンパクト容器が有する解決課題を有するほか、覆合部を枠壁に付設することにより、構造の簡素化を図るものである。
【０００７】
【課題を解決するための手段】
第１の手段として、底板１ａから周壁２を起立する容器本体１と、
容器本体周壁２の上面を開閉自在に閉塞する中皿板４０と、
中皿板上面を開閉自在に閉塞する上蓋板５０とを、
各後壁面から突出した軸受け９ａ、５１にピンを枢着し連結した、上下二重の収納室を有するコンパクト容器において、
上記容器本体周壁２の前壁４から前方へ張出し壁部５を突出して、該張出し壁部の上部に、前面開口の操作室１９を設けて、該操作室奥壁２１の前面は、上下方向中間部を上後方への傾斜面１２ａに、上下両端部は起立面１３に形成すると共に、操作室１９の上壁１４の前後両部に第１、第２透孔１５、１５ａを穿設し、かつ内壁面一部に前後方向への横溝８を穿設しておき、
又上記操作室１９内へ、指当て板３１の後面下部から操作室１９底板上へ載置させた下板３２を、指当て板３１後面上部から上板３３を、それぞれ後方突出し、かつ下板３２後面の左右両部から上記下方起立面２０へ後端部を当てて、弾性片３４を突設し、更に上記横溝８の前端部内へ前方抜出し不能に係合する係合子３５を有すると共に、上記第１透孔１５の前部下方の上板３３部分に第３透孔３６を穿設した操作釦３０を設け、
上記中皿板４０の前縁部から垂設した第１フック４２を、第２透孔１５ａの後壁下縁へ、上蓋板５０の前部から第１、第３透孔１５、３６に挿通して垂下した第２フック５２を第３透孔３６の後壁下縁へ、それぞれ係合させ、
上記操作釦３０の後方移動で上記第２フック５２の係合が外れると共に、上板３３の後端部が傾斜面１２ａ上へ乗上げして弾性変形することで更に第１フック４２下面を突上げして、第２透孔１５ａ後壁との係合を離脱可能に形成した。
【０００８】
第２の手段として、上記第１の手段を有するほか、上記中皿板４０および上蓋板５０を、上記それぞれの軸受け９ａ、４１に係合してピン回り開蓋方向へ付勢する弾性部材６０を有する。
【０００９】
第３の手段として、上記第１又は第２の手段を有するほか、上記容器本体周壁２前壁から前方突出する張出し壁部５上方へ、上記奥壁部分１２、上壁１４、左右両側壁１７を有する覆合部１８を載置させて設け、かつ該覆合部は、容器本体内へ嵌合させた枠壁１１の前部に付設した。
【００１０】
【発明の実施の形態】
以下、本発明に係る化粧用コンパクト容器の実施形態について説明する。
図１において、１は容器本体で、底板１ａから周壁２を起立し、該周壁２の前部を後方へ凹設して、上方から見てコ字状の凹部３に形成すると共に、該凹部奥面を形成する前壁４から前方へ張出し壁部５を突出する。この張出し壁部５上面は周壁２上面よりやや低い位置に位置し、かつ、張出し壁部５の左右両側面と凹部３の左右両側面とは隙間なく連続する。
【００１１】
したがって、この張出し壁部５上面よりも上方の前壁部分６と該前壁部分６の左右両端から前方へ延びる左右両側壁部分７とはコ字状を形成する。なお、前壁部分６は後述する操作室奥壁２１の一部である下方起立面２０を形成する。
さらに、張出し壁部５上面に前後方向への横溝８を形成し、その後端を支持段部９を介して前壁部分６前面へ連続させる。
なお、９ａは容器本体の後壁面から突出した軸受けである。
【００１２】
１０は皿枠で、枠壁１１下端を容器本体底板１ａの中央部上面へ固着させると共に、枠壁１１上端から下方小径のテーパ壁を介して外向きフランジを突設して、該外向きフランジ下面を容器本体周壁２上面へ載置させている。そして、この外向きフランジ前部上面から奥壁部分１２を突設して、該奥壁部分１２後面を下斜後方への傾斜壁部に形成して、該傾斜壁部を上記外向きフランジテーパ壁へ連続させると共に、奥壁部分１２前面に外向きフランジ前縁から上斜後方へ延びる傾斜面１２ａを形成し、さらに、該傾斜面１２ａ上端から起立面１３を起立する。これら傾斜面１２ａと起立面１３とのそれぞれの左右幅は周壁２の左右両側壁部分７の左右方向の距離にほぼ等しい。
【００１３】
さらに、起立面１３上端から上壁１４を前方突設し、該上壁１４の前後両部に第１透孔１５と第２透孔１５ａとを穿設して、第２透孔１５ａの後壁面から左右方向への係合突条１６を突設すると共に、上壁１４の左右両側から側壁１７を垂下して、該側壁１７下面を、周壁２の左右両側壁部分７上面へ当接させる。
そして、これら奥壁部分１２、上壁１４及び左右両側壁１７は張出し壁部５上方へ載置させて設ける覆合部１８を形成する。一方、容器本体周壁２の前壁部分６前面は上述したように操作室１９の下方起立面２０を形成すると共に、この前壁部分６と奥壁部分１２とは奥壁２１を形成し、さらに、覆合部１８と前壁部分６と左右両側壁部分７とは前面開口の操作室１９を形成する。
なお、２２は皿枠１０内へ着脱自在に嵌合させた化粧皿である。
【００１４】
３０は操作釦で、操作室１９前面開口部内へ前後動自在に嵌挿させた指当て板３１の後面下部から、張出し壁部５上へ載置させて左右両側壁部分７間へ前後動自在に嵌合させた下板３２を後方突出し、また、指当て板３１後面上部から、上板３３を、上壁１４下面と左右両側壁１７内面とのそれぞれに前後動自在に摺接させて後方突設する。
【００１５】
そして、下板３２後面の左右両部から弾性片３４を左右外方へ拡開突設し、その後端部下面を支持段部９上面へ載置させて、その後端を下方起立面２０前面へ接触させる。また、下板３２後端部下面から係合子３５を突設して、横溝８内へ前後動自在に係合させる。該係合子３２は指当て板３１の前限位置で横溝８の前縁へ係合して、操作釦３０の操作室１９からの前方への抜出しを防止する。
一方、上板３３の前部で、かつ、第１透孔１５より下方の上板３３部分に第３透孔３６を穿設すると共に、この第３透孔３６と上板３３後端部との間を肉薄部３７に形成し、かつ、上板３３後端を傾斜面１２ａの前方へ位置させる。
【００１６】
４０は中皿板で、下方小径のテーパ状筒壁の下端部内面を底壁で閉塞させると共に、テーパ筒壁後部上端から軸受け４１を突出して、該軸受け４１を、容器本体１の軸受け９ａに枢着したピンに枢着させている。さらに、テーパ筒壁前部上端から支持板を介して第１フック４２を垂設して、該第１フック４２先端部を係合突条１６下面へ係合させると共に、第１フック４２下面前部を上板３３の後端部上面へ載置させる。
【００１７】
なお、中皿板４０の閉蓋状態において、中皿板４０の上記テーパ状筒壁は皿枠１０のテーパ壁内面へ着脱自在に嵌合させられる。４３は中皿板４０の底壁下面へ固着させたパッキングで、化粧皿２２上面を密閉するものである。４４は中皿板４０のテーパ状筒壁内へ載置させたパフである。
【００１８】
５０は上蓋板で、中皿板４０の上面をパフ４４収納空間を介して開閉自在に閉塞する断面湾曲状板後部から軸受け５１を突出して、該軸受け５１を、容器本体１の軸受け９ａに枢着したピンに枢着させている。一方、湾曲状板前部下面から第２フック５２を垂下して、該第２フック５２を第１透孔１５と第３透孔３６とのそれぞれに挿通させて、第３透孔３６の後壁下縁へ係合させると共に、湾曲状板前縁下面を第１透孔１５より前方上壁１４部分上面へ載置させる。
なお、５３は上蓋板５０の中央部下面へ固着させた鏡である。
【００１９】
６０は弾性部材で、容器本体１の後壁後面に形成した凹部内へ固着させた板体上端部から左右方向への係合突条６１を突設し、該係合突条６１を中皿板４０と上蓋板５０とのそれぞれの軸受け４１、５１に係合させて、中皿板４０と上蓋板５０とをピン回り開蓋方向へ付勢させる。
中皿板４０と上蓋板５０とを開蓋方向へ付勢する手段としては、上記弾性部材６０に限らず、例えば、ピンへ装着させたねじりコイルばねの端部を、中皿板４０と上蓋板５０とのそれぞれの軸受け４１、５１に係合させたばね手段を採用することも可能である。
【００２０】
次に本実施形態の作用について説明する。
図１及び図４に示す上蓋板５０の閉蓋状態から上蓋板５０を開蓋するには、弾性片３４の弾性力に抗して操作釦３０を後方へ押せばよく、すると第２フック５２が第３透孔３６の後壁下縁から外れて、弾性部材６０の付勢力により上昇して、第３透孔３６及び第１透孔１５から上方へ抜け出ると共に、上板３３の後端下部が傾斜面１２ａ上面へ当接する。これを示すのが図２で、この状態では上蓋板５０は僅かに開いているに過ぎず、ここからさらに上蓋板５０を開くには上蓋板５０を持って上方へ回動させればよい。
【００２１】
図２に示す状態から中皿板４０を開蓋するには、さらに弾性片３４の弾性力に抗して操作釦３０を後方へ押せばよく、すると上板３３の後端部が傾斜面１２ａ上へ乗上げして上方へ弾性変形することで第１フック４２下面を突上げして、係合突条１６から離脱させる。これによって第１フック４２が弾性部材６０の付勢力により第２透孔１５ａから上方へ抜け出ると共に、上板３３後端部が係合突条１６下面へ係合する。
【００２２】
これを示すのが図３及び図５で、この状態では中皿板４０は僅かに開いているに過ぎず、ここからさらに中皿板４０を開くには中皿板４０を持って上方へ回動させればよい。
なお、図２に示す上蓋板５０の開蓋後、又は図３に示す中皿板４０の開蓋後、操作釦３０から手を離すと、操作釦３０は弾性片３４の弾性力により前方へ移動して、図１に示す係合子３５が横溝８前縁へ係合した位置へ復帰する。
【００２３】
閉蓋するには図３に示す状態から上蓋板５０を押し下げればよく、すると上蓋板５０がパフ４４を介して中皿板４０を下方へ回動させる。これによって第１フック４２が第２透孔１５ａを挿通して、図１に示すように係合突条１６下面へ係合すると共に、第１フック４２下面前端部が上板３３後端部上面へ当接する。
さらに、上蓋板５０を押し下げると、第２フック５２が第１透孔１５と第３透孔３６とを挿通して、第３透孔３６後壁下縁へ係合する。
【００２４】
【発明の効果】
請求項１記載の化粧用コンパクト容器は、第１フックを第２透孔の後壁下縁へ、また、第２フックを第３透孔の後壁下縁へ、それぞれ係合させ、操作釦の後方移動で第２フックの係合が外れると共に、上板の後端部が傾斜面上へ乗上げすることで更に第１フック下面を突上げして、第２透孔後壁との係合を離脱可能に形成したので、操作釦を押すだけの簡単な操作で上蓋板と中皿板とを順次別々に開くことができる。
【００２５】
請求項２記載の化粧用コンパクト容器は、中皿板及び上蓋板をピン回り開蓋方向へ付勢する弾性部材を有するので、操作釦の操作だけで自動的に開蓋できる。
【００２６】
請求項３記載の化粧用コンパクト容器は、覆合部を容器本体内へ嵌合させた枠壁に付設したので、枠壁利用により構造の簡素化を図ることができる。
【図面の簡単な説明】
【図１】本発明に係る化粧用コンパクト容器の閉蓋状態を示す断面図。
【図２】同じく、上蓋板のみの開蓋状態を示す化粧用コンパクト容器の作用説明図。
【図３】同じく、上蓋板と中皿板との開蓋状態を示す化粧用コンパクト容器の作用説明図。
【図４】同じく、上蓋板のみの開蓋時における弾性片の拡開度合いを示す上方から見た説明図。
【図５】同じく、上蓋板と中皿板との開蓋時における弾性片の拡開度合いを示す上方から見た説明図。
【符号の説明】
１  容器本体
１ａ  底板
４  前壁
５  張出し壁部
８  横溝
９ａ  軸受け
１０  皿枠
１１  枠壁
１２  奥壁
１２ａ  傾斜面
１３  起立面
１４  上壁
１５  第１透孔
１５ａ  第２透孔
１６  係合突条
１７  側壁
１８  覆合部
１９  操作室
２０  下方起立面
２１  奥壁
３０  操作釦
３１  指当て板
３２  下板
３３  上板
３４  弾性片
３５  係合子
３６  第３透孔
４０  中皿板
４１  軸受け
４２  第１フック
５０  上蓋板
５１  軸受け
５２  第２フック
６０  弾性部材
【図１】
0003766204.tif 000002
【図２】
0003766204.tif 000003
【図３】
0003766204.tif 000004
【図４】
0003766204.tif 000005
【図５】
0003766204.tif 000006